(57)【要約】【課題】  斜めに切断する必要なく、直角に突き合わせても、並列して突き合わせても、模様が連続する外観で接続することができる軒天井材を提供する【解決手段】  軒天井材Ａの下面側の化粧面に、同じ間隔で多数本の縦線４と横線５を直交させて形成されるグリッド模様６を設ける。軒天井材Ａを斜めに切断せずに直角に突き合わせると、接続される一方の軒天井材Ａの縦線４と他方の軒天井材Ａの横線５が繋がって、各軒天井材Ａのグリッド模様６を連続させることができる。また軒天井材Ａを並列して突き合わせると、接続される一方の軒天井材Ａの縦線４あるいは横線５と他方の軒天井材Ａの縦線４あるいは横線５が繋がって、各軒天井材Ａのグリッド模様６を連続させることができる。【選択図】  図１
2006152563.tif 000002
【特許請求の範囲】
【請求項１】
家屋の外壁から張り出した軒の天井面に取り付けて使用される軒天井材であって、その下面側の化粧面に、同じ間隔で多数本の縦線と横線を直交させて形成されるグリッド模様を設けて成ることを特徴とする軒天井材。
【請求項２】
縦線と横線をそれぞれ、幅の狭い線と幅の広い線とから形成すると共に、幅の狭い線と幅の広い線を交互に配置して成ることを特徴とする請求項１に記載の軒天井材。
【発明の詳細な説明】
【技術分野】
【０００１】
本発明は、屋根が家屋の外壁から張り出した部分に形成される軒において、軒の天井面に取り付けられる軒天井材に関するものである。
【背景技術】
【０００２】
屋根が家屋の外壁から張り出した部分に形成される軒の下面側を化粧するために、軒の下側に軒天井材を張って軒天を形成することが行なわれている。
【０００３】
図４は家屋を下からみた概略図を示すものであり、家屋の外壁１から屋根２が張り出して形成される軒３の態様を図示したものである。軒３はこのように家屋の外壁１の回りに形成されるため、軒３の下側に軒天井材Ａを張って軒天井を形成するにあたって、外壁１のコーナー部分では、２枚の軒天井材Ａを直角に突き合わせて接続する必要がある。このように２枚の軒天井材Ａを直角に突き合わせて接続する場合、軒天井材Ａの下面に形成した模様の連続性がこの突き合わせ部分で絶たれると、軒天井の外観に違和感が生じるおそれがある。そこで、軒天井材Ａの突き合わせ部分で模様の連続性が絶たれないように、各種の工夫が行なわれている（例えば、特許文献１，２等参照）。
【０００４】
図５は軒天井材Ａの化粧用の模様を、多数の平行な一方向の線１０からなるストライプ模様１１に形成することによって、軒天井材Ａの突き合わせ部分で模様が連続するようにしたものである。すなわち、軒天井材Ａの端部を４５°の角度で斜め切りし、２枚の軒天井材Ａを切断端面同士で直角に付き合わせることによって、各軒天井材Ａのストライプ模様１１の各線１０が突き合わせ部分で繋がり、ストライプ模様１１を連続させることができるものであり、模様の連続性が絶たれないようにすることができるものである。
【特許文献１】特開２００４−２８５５７６号公報
【特許文献２】特開平９−２８７２３８号公報
【発明の開示】
【発明が解決しようとする課題】
【０００５】
しかしながら、上記の図５のものでは、軒天井材Ａの端部を４５°の角度で切断するために、三角形の端材１２が発生し、この端材１２が材料ロスになるという問題があった。
【０００６】
また上記のようにストライプ模様１１を設けた軒天井材Ａにあって、図４のイ部のように、外壁１のコーナー部を挟んだ両側の軒３の、外壁１からの出幅寸法Ｗ１が同じである場合には、同じ幅寸法Ｗ１の軒天井材Ａを用いることができ、図５のように各軒天井材Ａの端部をそれぞれ４５°に切断して、各軒天井材Ａのストライプ模様１１が連続するように接続することが可能である。
【０００７】
しかし、図４のロ部のように、外壁１のコーナー部を挟んだ両側の軒３の、外壁１からの出幅寸法Ｗ１、Ｗ２が異なる場合には、図６（ａ）のように異なる幅寸法Ｗ１、Ｗ２の軒天井材Ａを用いる必要がある。そしてこの場合、軒天井材Ａの端部を斜め切りして付き合わせるときには、一方の軒天井材Ａを４５°より小さい角度で、他方の軒天井材Ａを４５°より大きい角度で切断することになり、図６（ａ）にみられるように各軒天井材Ａにおいてストライプ模様１１の線１０の間隔が切断端面で同じにならない。従って、各軒天井材Ａの突き合わせ部分でストライプ模様１１の線１０が合わなくなり、ストライプ模様１１を連続させることはできなくなる。
【０００８】
またこの異なる幅寸法Ｗ１、Ｗ２の各軒天井材Ａの斜め切りの角度を４５°にする場合には、図６（ｂ）のように幅の広いほうの軒天井材Ａは斜め切りされない部分が生じるので、この部分でストライプ模様１１の連続性が絶たれることになる。特に、バルコニーが形成された場合など図４のハ部分のように、外壁１のコーナー部を挟んだ両側の軒３の、外壁１からの出幅寸法Ｗ１、Ｗ３が大きく異なる場合には、図７（ａ）のように幅の広いほうの軒天井材Ａに斜め切りされない部分が広い範囲で生じるので、この広い範囲の部分でストライプ模様１１の連続性が絶たれることになる。
【０００９】
さらに玄関の部分など、図４のニ部分のように、軒３が広い面積で形成される場合には、軒天井材Ａを並列して突き合わせることによって面積が大きくなるように接続されるが、図７（ｂ）のようにストライプ模様１１の線１０が連続するように２枚の軒天井材Ａを突き合わせても、２枚の軒天井材Ａの間にストライプ模様１１の線１０と直交する境界の線１３ができるので、この境界線１３によってストライプ模様１１の連続性が絶たれることになる。
【００１０】
本発明は上記の点に鑑みてなされたものであり、斜めに切断する必要がなく、また直角に突き合わせても、並列して突き合わせても、模様が連続する外観で接続することができる軒天井材を提供することを目的とするものである。
【課題を解決するための手段】
【００１１】
本発明の請求項１に係る軒天井材は、家屋の外壁１から張り出した軒３の天井面に取り付けて使用される軒天井材であって、その下面側の化粧面に、同じ間隔で多数本の縦線４と横線５を直交させて形成されるグリッド模様６を設けて成ることを特徴とするものである。
【００１２】
軒天井材Ａを斜めに切断せずに直角に突き合わせると、接続される一方の軒天井材Ａの縦線４と他方の軒天井材Ａの横線５が繋がって、各軒天井材Ａのグリッド模様６を連続させることができるものであり、また軒天井材Ａを並列して突き合わせると、接続される一方の軒天井材Ａの縦線４あるいは横線５と他方の軒天井材Ａの縦線４あるいは横線５が繋がって、各軒天井材Ａのグリッド模様６を連続させることができるものである。
【００１３】
また請求項２の発明は、請求項１において、縦線４と横線５をそれぞれ、幅の狭い線ａと幅の広い線ｂとから形成すると共に、幅の狭い線ａと幅の広い線ｂを交互に配置してして成ることを特徴とするものである。
【００１４】
このように縦線４や横線５を幅の異なる線で形成することによって、軒天井材Ａを突き合わせる際につき合わせ端部間に生じる境界線が、異なる幅の線に紛れて目立たなくなるものである。
【発明の効果】
【００１５】
本発明によれば、軒天井材Ａを斜めに切断せずに直角に突き合わせても、軒天井材Ａを並列して突き合わせても、各軒天井材Ａのグリッド模様６を連続させることができるものである。従って、軒天井材Ａを斜めに切断する場合のような端材がロスとして生じることなく、模様が連続する外観で軒天井材Ａを接続することができるものである。
【発明を実施するための最良の形態】
【００１６】
以下、本発明を実施するための最良の形態を説明する。
【００１７】
軒天井材Ａは繊維セメント板等の窯業系板や、その他任意の材質の板で形成されるが、施工状態では下面となる化粧面には図１（ａ）のようなグリッド模様６が全面に亘って設けてある。グリッド模様６は、多数本の平行な縦線４と多数本の平行な横線５を直交させて形成されるものであり、縦線４の間隔と横線５の間隔はそれぞれ同じ一定間隔に形成してある。ここで縦線４や横線５の間隔は、縦線４の幅方向の中心間の距離、横線５の幅方向の中心間の距離、つまり縦線４や横線５のピッチをいうものである。この縦線４や横線５は、溝状の線として形成しても、凸状の線として形成しても、あるいは印刷等で描画した線として形成してもいずれでもよい。また、軒天井材Ａの化粧面を石肌調に形成すると、施工時の釘頭が目立ち難くなるものである。
【００１８】
図１（ｂ）は縦線４や横線５を同じ深さの溝状の線として形成するようにした実施の形態を示すものであり、縦線４や横線５の間隔Ｐは３０．３ｍｍに形成してある。現状の家屋は尺モジュールで設計されているので、このように縦線４や横線５の間隔Ｐを３０．３ｍｍ（＝１尺）に形成することによって、尺モジュールに対応して軒天井材Ａを縦方向あるいは横方向のいずれの方向に接続しても、縦線４や横線５を合せ易くなるものである。また、縦線４や横線５はそれぞれ、幅寸法が細い線ａと幅寸法が太い線ｂの２種類の線から形成されるものであり、細い線ａと太い線ｂとが交互に繰り返されるように配置してある。図１（ｂ）の実施の形態では縦線４や横線５を、両側面が４５°の角度で傾斜する逆台形の溝状の線として形成してあり、深さＤ＝２．５ｍｍ、細い線ａの溝底幅Ｗ５＝１．０ｍｍ、太い線ｂの溝底幅Ｗ６＝２．０ｍｍに形成してある。
【００１９】
上記のように形成される軒天井材Ａにあって、例えば図４のイ部のように、外壁１のコーナー部を挟んだ両側の軒３の、外壁１からの出幅寸法Ｗ１が同じである箇所には、幅寸法Ｗ１が同じ矩形の２枚の軒天井材Ａを用い、図２（ａ）のように一方の軒天井材Ａ（Ａ１）の長手辺の端部に他方の軒天井材Ａ（Ａ２）の短手辺を突き合わせ、直角に接続した状態で軒３の天井面に取り付けられるものである。このように軒天井材Ａ１，Ａ２を直角に突き合わせて接続すると、一方の軒天井材Ａ１の突き合わせ部分の各横線５と他方の軒天井材Ａ２の各縦線４とが一直線に繋がり、また一方の軒天井材Ａ１の縦線４と他方の軒天井材Ａ２の横線５が平行に並ぶことになる。さらに軒天井材Ａ１，Ａ２のつき合わせ端部間に生じる境界線１３は、平行に並ぶ軒天井材Ａ１の縦線４と軒天井材Ａ２の横線５の一つとして線の並びの中に溶け込むことになる。従って、２枚の軒天井材Ａの各グリッド模様６は一体に連続した外観となるものであり、２枚の軒天井材Ａを接続部で違和感が生じるようなことなく突き合わせて接続することができるものである。また従来の図５の場合のように、軒天井材Ａの端部を４５°の角度で切断する必要がないので、切断加工の手間が不要になると共に、斜め切断による端材が材料ロスとして発生するようなこともなくなるものである。さらに、図２（ａ）の位置関係とは逆に、一方の軒天井材Ａ１の短手辺と他方の軒天井材Ａ２の長手辺の端部を突き合わせるようにしても、同様にグリッド模様６が一体に連続した外観で、２枚の軒天井材Ａを接続することができるものであり、接続の位置関係の自由度が高くなるものである。
【００２０】
また、例えば図４のロ部のように、外壁１のコーナー部を挟んだ両側の軒３の、外壁１からの出幅寸法Ｗ１、Ｗ２が異なる箇所には、異なる幅寸法Ｗ１、Ｗ２の軒天井材Ａを用い、図２（ｂ）のように一方の軒天井材Ａ１の長手辺の端部に他方の軒天井材Ａ２の短手辺を突き合わせ、直角に接続した状態で軒３の天井面に取り付けられるものである。この場合も、図２（ａ）の場合と同様に、一方の軒天井材Ａ１の突き合わせ部分の各横線５と他方の軒天井材Ａ２の各縦線４とが一直線に繋がり、また一方の軒天井材Ａ１の縦線４と他方の軒天井材Ａ２の横線５が平行に並ぶことになり、さらに軒天井材Ａ１，Ａ２のつき合わせ端部間に生じる境界線１３は、平行に並ぶ軒天井材Ａ１の縦線４と軒天井材Ａ２の横線５の一つとして線の並びの中に溶け込むことになる。従って、幅の異なる軒天井材Ａであっても、２枚の軒天井材Ａの各グリッド模様６が一体に連続した外観となるように、接続部で違和感が生じるようなことなく突き合わせて接続することができるものである。
【００２１】
さらに、玄関の部分など、図４のニ部分のように、軒３が広い面積で形成される箇所には、軒天井材Ａを並列して突き合わせ、全体形状が大きな面積の矩形になるように接続した状態で軒３の天井面に取り付けられるものである。この場合は図３のように、一方の軒天井材Ａ１の突き合わせ部分の各縦線４と他方の軒天井材Ａ２の各縦線４とが一直線に繋がり、また一方の軒天井材Ａ１の横線５と他方の軒天井材Ａ２の横線５が平行に並ぶことになる。さらに軒天井材Ａ１，Ａ２のつき合わせ端部間に生じる境界線１３は、平行に並ぶ軒天井材Ａ１，Ａ２の横線５の一つとして線の並びの中に溶け込むことになる。従って、２枚の軒天井材Ａの各グリッド模様６は一体に連続した外観となるものであり、２枚の軒天井材Ａを接続部で違和感が生じるようなことなく突き合わせて接続することができるものである。図３の実施の形態では、縦線４が一直線に繋がる方向で２枚の軒天井材Ａを突き合わせて接続するようにしたが、横線５が一直線に繋がる方向で２枚の軒天井材Ａを突き合わせて接続するようにしても、同様に２枚の軒天井材Ａの各グリッド模様６が一体に連続した外観で接続することができるものである。
【００２２】
ここで、上記のように２枚の軒天井材Ａを突き合わせて接続するにあたって、軒天井材Ａの厚みのばらつきや、軒天井材Ａを取り付ける下地の不陸（デコボコ）などで、突き合わせ端部に段差などが生じると、軒天井材Ａのつき合わせ端部間に生じる境界線１３は目立ち易くなるが、上記のように縦線４や横線５はそれぞれ、細い線ａと太い線ｂの２種類の線から形成し、細い線ａと太い線ｂとが交互に繰り返されるように配置してあるので、、この境界線１３は異なる幅の線ａ，ｂに紛れ、目立たなくなるようにすることができるものである。またこのように縦線４や横線５を細い線ａと太い線ｂの２種類の線から形成する場合、２枚の軒天井材Ａを突き合わせて、縦線４同士を一直線に繋ぐようにしたり、また横線５同士を一直線に繋ぐようにしたり、あるいは縦線４と横線５を一直線に繋ぐようにしたりするにあたって、模様の連続性を確保するためには、細い線ａ同士、太い線ｂ同士が一直線に繋がれるようにする必要がある。このために、細い線ａと太い線ｂは交互に繰り返すように配置してある。
【図面の簡単な説明】
【００２３】
【図１】本発明の実施の形態の一例を示すものであり、（ａ）は一部の斜視図、（ｂ）は一部の拡大した断面図である。
【図２】同上の軒天井材の接続の各態様を示すものであり、（ａ），（ｂ）はそれぞれ底面図である。
【図３】同上の軒天井材の接続の態様を示す底面図である。
【図４】家屋を下から見た、軒の下面形状を表わす概略図である。
【図５】従来の軒天井材の接続の一例を示す底面図である。
【図６】従来の軒天井材の接続の各態様を示すものであり、（ａ），（ｂ）はそれぞれ底面図である。
【図７】従来の軒天井材の接続の各態様を示すものであり、（ａ），（ｂ）はそれぞれ底面図である。
【符号の説明】
【００２４】
１  外壁
２  屋根
３  軒
４  縦線
５  横線
６  グリッド模様
ａ  細い線
ｂ  太い線
【図１】
2006152563.tif 000003
【図２】
2006152563.tif 000004
【図３】
2006152563.tif 000005
【図４】
2006152563.tif 000006
【図５】
2006152563.tif 000007
【図６】
2006152563.tif 000008
【図７】
2006152563.tif 000009